(57)【要約】【課題】音響信号処理装置において、グループに属する複数ｃｈをｃｈストリップ部に展開するにあたって、展開先のｃｈストリップ部を柔軟に指定できるようにすることを目的とする。【解決手段】選択されたレイヤ情報に基づいて操作ブロックの各ｃｈストリップへのｃｈの割当を行う第１割当部と、複数のｃｈから構成されるグループを作成するグループ作成部と、展開用の操作ブロックを指定する指定部と、展開指示されたグループの複数ｃｈを前記指定部により指定された操作ブロックの各ｃｈストリップに割り当てる第２割当部を備える。１の操作ブロックの１のｃｈストリップの操作に応じて、第２割当部により当該ｃｈストリップにｃｈが割り当てられている場合は、該割り当てられているｃｈのパラメータを制御し、割り当てられていない場合は、第１割当部により当該ｃｈストリップに割り当てられたｃｈのパラメータを制御する。【選択図】  図７
2011066863.tif 000002
【特許請求の範囲】
【請求項１】
各チャンネル（ｃｈ）のパラメータを記憶するパラメータ記憶部に記憶されたパラメータに基づいて、複数ｃｈに入力する音響信号の信号処理を行う音響信号処理装置であって、
それぞれ、ユーザの操作を受け付ける複数のｃｈストリップを含む、複数の操作ブロックと、
１つの操作ブロックに割り当てる複数ｃｈを示すレイヤ情報を、複数記憶するレイヤ記憶部と、
各操作ブロック毎に、レイヤ選択指示に応じて、複数のレイヤ情報の中から１つのレイヤ情報を選択し、選択されたレイヤ情報の示す複数ｃｈを、当該操作ブロックの各ｃｈストリップに割り当てる第１割当部と、
複数のｃｈから構成されるグループを１つ以上作成し、各グループ毎に、そのグループを構成する複数ｃｈを示すグループ情報を記憶するグループ作成部と、
各グループ毎に、そのグループを構成する複数ｃｈの音響信号の少なくとも１つの楽音特性を連動制御する連動制御部と、
前記複数の操作ブロックのうちの一部の操作ブロックを展開用として指定する指定部と、
前記複数のグループのうちの１のグループの展開指示に応じて、該グループのグループ情報が示す複数ｃｈのそれぞれを、前記指定部により指定された操作ブロックの各ｃｈストリップに、割り当てる第２割当部と、
１の操作ブロックの１のｃｈストリップの操作に応じて、前記第２割当部により当該ｃｈストリップにｃｈが割り当てられている場合は、該割り当てられているｃｈのパラメータを制御し、割り当てられていない場合は、前記第１割当部により当該ｃｈストリップに割り当てられたｃｈのパラメータを制御するパラメータ制御部と
を備えたことを特徴とする音響信号処理装置。
【請求項２】
各チャンネル（ｃｈ）のパラメータを記憶するパラメータ記憶部に記憶されたパラメータに基づいて、複数ｃｈに入力する音響信号の信号処理を行う音響信号処理装置であって、
それぞれ、ユーザの操作を受け付ける複数のｃｈストリップを含む、複数の操作ブロックと、
１つの操作ブロックに割り当てる複数ｃｈを示すレイヤ情報を、複数記憶するレイヤ記憶部と、
複数のｃｈから構成されるグループを１つ以上作成し、各グループ毎に、そのグループを構成する複数ｃｈを示すグループ情報を記憶するグループ作成部と、
各グループ毎に、そのグループを構成する複数ｃｈの音響信号の少なくとも１つの楽音特性を連動制御する連動制御部と、
各操作ブロック毎に、レイヤ選択指示に応じて、複数のレイヤ情報の中から１つのレイヤ情報を選択し、選択されたレイヤ情報の示す複数ｃｈを、当該操作ブロックの各ｃｈストリップに割り当てる第１割当部と、
前記複数の操作ブロックを複数の制御グループに分け、各制御グループを構成する操作ブロックを示す制御グループ情報を記憶する制御グループ情報記憶部と、
前記制御グループ毎に、前記複数の操作ブロックのうちの一部の操作ブロックを展開用として指定する指定部と、
前記制御グループ毎に、前記複数のグループのうちの１のグループの展開指示に応じて、該グループのグループ情報が示す複数ｃｈのそれぞれを、前記指定部により指定された操作ブロックの各ｃｈストリップに、割り当てる第２割当部と、
前記制御グループ毎に、１の操作ブロックの１のｃｈストリップの操作に応じて、前記第２割当部により当該ｃｈストリップにｃｈが割り当てられている場合は、該割り当てられているｃｈのパラメータを制御し、割り当てられていない場合は、前記第１割当部により当該ｃｈストリップに割り当てられたｃｈのパラメータを制御するパラメータ制御部と
を備えたことを特徴とする音響信号処理装置。
【請求項３】
請求項１または２に記載の音響信号処理装置において、
前記レイヤ情報は、(1)操作ブロックの各ｃｈストリップにそれぞれ１つずつｃｈを割り当てるｃｈレイヤを規定するｃｈレイヤ情報、(2)複数のｃｈから構成されるＤＣＡグループを複数作成し、操作ブロックの各ｃｈストリップにそれぞれ１つずつ前記ＤＣＡグループを割り当てるＤＣＡレイヤを規定するＤＣＡレイヤ情報、または、(3)操作ブロックの各ｃｈストリップ毎に割り当てる１つ乃至複数のｃｈを任意に定義したカスタムレイヤを規定するカスタムレイヤ情報を含むことを特徴とする音響信号処理装置。
【請求項４】
請求項１または２に記載の音響信号処理装置において、
前記グループ情報は、(1)割り当てた１つのｃｈストリップを用いてパラメータを連動制御する複数のｃｈから構成されるＤＣＡグループ、(2)１つのｃｈのパラメータを変更するとグループ内の他のｃｈのパラメータが連動して変更されるような複数のｃｈから構成されるリンクグループ、(3)連動してミュートのオン／オフ制御を行う複数のｃｈから構成されるミュートグループ、または、(4)割り当てた１つのｃｈストリップを用いてパラメータを連動制御する複数のｃｈから構成されるｃｈセットグループを、規定する情報を含むことを特徴とする音響信号処理装置。
【請求項５】
請求項１または２に記載の音響信号処理装置において、
前記指定部は、展開用の操作ブロックを複数指定する際、それら複数の操作ブロックの順番を指定するものであり、
前記第２割当部は、展開指示されたグループの複数ｃｈを前記指定部により指定された操作ブロックの各ｃｈストリップに割り当てる際、前記指定された操作ブロックの順番に従って割り当てていくことを特徴とする音響信号処理装置。
【請求項６】
請求項１または２に記載の音響信号処理装置において、
前記グループ情報は、割り当てた１つのｃｈストリップを用いてパラメータを連動制御する複数のｃｈから構成されるｃｈセットグループであって、１つのｃｈセットグループを構成するｃｈ数が前記操作ブロック内のｃｈストリップの数以下であるようなｃｈセットグループを規定する情報を含み、
前記第２割当部は、展開指示されたｃｈセットグループの複数ｃｈを、前記指定部により指定された操作ブロックのうちの所定の１つの操作ブロックのｃｈストリップに、割り当てることを特徴とする音響信号処理装置。
【発明の詳細な説明】
【技術分野】
【０００１】
この発明は、操作パネル上に設けられた操作子に所定のチャンネル（ｃｈ）を割り当て、該操作子の操作で、該割り当てられたｃｈのパラメータの設定・変更を行う機能を備えた音響信号処理装置に関する。
【背景技術】
【０００２】
従来より、フェーダ、エンコーダ、および各種のボタンなどの操作子を備えたｃｈストリップを複数本備え、入力ｃｈを各ｃｈストリップに割り当て、該入力ｃｈの各種のパラメータを該ｃｈストリップの操作子で操作可能にした音響信号処理装置が知られている。例えば、下記非特許文献１の第３２，３３頁（第４章インプット系チャンネルの基本操作）には、各ｃｈストリップ部毎に割り当てるレイヤを切り替えることにより、限られた数のｃｈストリップで多くのｃｈの制御ができるようにしたオーディオミキシングシステムのコンソールが開示されている。
【０００３】
また、下記非特許文献１，２には、任意の複数入力ｃｈをグループ化して制御する機能が開示されている。例えば、複数の入力ｃｈを１つのＤＣＡグループに割り当て、それらの入力ｃｈについてはレベル差を保ったまま１本のＤＣＡフェーダで一括してレベル調整を行ったり、複数の入力ｃｈを１つのミュートグループに割り当て、所定のキーのオン／オフでそれらの入力ｃｈの一括したミュートのオン／オフを行うことができる（非特許文献１の第９２〜９８頁の第７章ＤＣＡグループ／ミュートグループ、非特許文献２の第１００〜１１９頁の第１１章グルーピング／リンク）。さらに、非特許文献２の第１２０，１２１頁には、グループに属する複数の入力ｃｈの所望のパラメータを連動（リンク）させるチャンネルリンク機能が開示されている。
【０００４】
上述したように複数ｃｈを１つのグループとし、そのグループに属する複数ｃｈを１つの操作子で操作する機能は便利であるが、その一方で、そのグループ内の複数ｃｈを個別に操作したい場合もある。そこで、グループを構成する個々のｃｈを、所定の操作でｃｈストリップ部へ展開できるディジタルミキサが知られている。これは、所望のグループのボタンを押すと、そのグループを構成する個々の入力ｃｈが所定のｃｈストリップに順番に割り当てられ、これによりそれらの入力ｃｈを個別に操作できるようにしたものである。
【先行技術文献】
【非特許文献】
【０００５】
【非特許文献１】DIGITAL AUDIO MIXING SYSTEM PM1D、CONSOLE SURFACE CS1D、操作マニュアル（基本操作編）、２００２年、ヤマハ株式会社
【非特許文献２】DIGITAL MIXING CONSOLE M7CL、取扱説明書、２００５年、ヤマハ株式会社
【発明の概要】
【発明が解決しようとする課題】
【０００６】
上述のグループを構成するｃｈを所定のｃｈストリップに展開する機能では、全部のｃｈストリップ部に順番に展開されるようになっていた。すなわち、全てのｃｈストリップ部が展開に使用され、一部のｃｈストリップ部は展開に使わないという指定はできなかった。そのため、ユーザにとっては使い勝手が悪かった。複数のｃｈストリップ部を備えたミキサや、ｃｈストリップ部を適宜増設可能なミキサの場合、全部のｃｈストリップ部をｃｈ展開に使用するのではなく、一部のｃｈストリップ部を別目的に使用できたほうが良い。また、１つのミキサを複数人で使用する場合、各個人ごとにｃｈ展開できるようにしたほうが良い。
【０００７】
この発明は、グループに属するｃｈをｃｈストリップ部に展開するにあたって、展開先のｃｈストリップ部を柔軟に指定できるようにすることを目的とする。
【課題を解決するための手段】
【０００８】
上記目的を達成するため、請求項１に係る発明は、各チャンネル（ｃｈ）のパラメータを記憶するパラメータ記憶部に記憶されたパラメータに基づいて、複数ｃｈに入力する音響信号の信号処理を行う音響信号処理装置であって、それぞれ、ユーザの操作を受け付ける複数のｃｈストリップを含む、複数の操作ブロックと、１つの操作ブロックに割り当てる複数ｃｈを示すレイヤ情報を、複数記憶するレイヤ記憶部と、各操作ブロック毎に、レイヤ選択指示に応じて、複数のレイヤ情報の中から１つのレイヤ情報を選択し、選択されたレイヤ情報の示す複数ｃｈを、当該操作ブロックの各ｃｈストリップに割り当てる第１割当部と、複数のｃｈから構成されるグループを１つ以上作成し、各グループ毎に、そのグループを構成する複数ｃｈを示すグループ情報を記憶するグループ作成部と、各グループ毎に、そのグループを構成する複数ｃｈの音響信号の少なくとも１つの楽音特性を連動制御する連動制御部と、前記複数の操作ブロックのうちの一部の操作ブロックを展開用として指定する指定部と、前記複数のグループのうちの１のグループの展開指示に応じて、該グループのグループ情報が示す複数ｃｈのそれぞれを、前記指定部により指定された操作ブロックの各ｃｈストリップに、割り当てる第２割当部と、１の操作ブロックの１のｃｈストリップの操作に応じて、前記第２割当部により当該ｃｈストリップにｃｈが割り当てられている場合は、該割り当てられているｃｈのパラメータを制御し、割り当てられていない場合は、前記第１割当部により当該ｃｈストリップに割り当てられたｃｈのパラメータを制御するパラメータ制御部とを備えたことを特徴とする。
【０００９】
請求項２に係る発明は、各チャンネル（ｃｈ）のパラメータを記憶するパラメータ記憶部に記憶されたパラメータに基づいて、複数ｃｈに入力する音響信号の信号処理を行う音響信号処理装置であって、それぞれ、ユーザの操作を受け付ける複数のｃｈストリップを含む、複数の操作ブロックと、１つの操作ブロックに割り当てる複数ｃｈを示すレイヤ情報を、複数記憶するレイヤ記憶部と、複数のｃｈから構成されるグループを１つ以上作成し、各グループ毎に、そのグループを構成する複数ｃｈを示すグループ情報を記憶するグループ作成部と、各グループ毎に、そのグループを構成する複数ｃｈの音響信号の少なくとも１つの楽音特性を連動制御する連動制御部と、各操作ブロック毎に、レイヤ選択指示に応じて、複数のレイヤ情報の中から１つのレイヤ情報を選択し、選択されたレイヤ情報の示す複数ｃｈを、当該操作ブロックの各ｃｈストリップに割り当てる第１割当部と、前記複数の操作ブロックを複数の制御グループに分け、各制御グループを構成する操作ブロックを示す制御グループ情報を記憶する制御グループ情報記憶部と、前記制御グループ毎に、前記複数の操作ブロックのうちの一部の操作ブロックを展開用として指定する指定部と、前記制御グループ毎に、前記複数のグループのうちの１のグループの展開指示に応じて、該グループのグループ情報が示す複数ｃｈのそれぞれを、前記指定部により指定された操作ブロックの各ｃｈストリップに、割り当てる第２割当部と、前記制御グループ毎に、１の操作ブロックの１のｃｈストリップの操作に応じて、前記第２割当部により当該ｃｈストリップにｃｈが割り当てられている場合は、該割り当てられているｃｈのパラメータを制御し、割り当てられていない場合は、前記第１割当部により当該ｃｈストリップに割り当てられたｃｈのパラメータを制御するパラメータ制御部とを備えたことを特徴とする。
【００１０】
請求項３に係る発明は、請求項１または２に記載の音響信号処理装置において、前記レイヤ情報は、(1)操作ブロックの各ｃｈストリップにそれぞれ１つずつｃｈを割り当てるｃｈレイヤを規定するｃｈレイヤ情報、(2)複数のｃｈから構成されるＤＣＡグループを複数作成し、操作ブロックの各ｃｈストリップにそれぞれ１つずつ前記ＤＣＡグループを割り当てるＤＣＡレイヤを規定するＤＣＡレイヤ情報、または、(3)操作ブロックの各ｃｈストリップ毎に割り当てる１つ乃至複数のｃｈを任意に定義したカスタムレイヤを規定するカスタムレイヤ情報を含むことを特徴とする。
【００１１】
請求項４に係る発明は、請求項１または２に記載の音響信号処理装置において、前記グループ情報は、(1)割り当てた１つのｃｈストリップを用いてパラメータを連動制御する複数のｃｈから構成されるＤＣＡグループ、(2)１つのｃｈのパラメータを変更するとグループ内の他のｃｈのパラメータが連動して変更されるような複数のｃｈから構成されるリンクグループ、(3)連動してミュートのオン／オフ制御を行う複数のｃｈから構成されるミュートグループ、または、(4)割り当てた１つのｃｈストリップを用いてパラメータを連動制御する複数のｃｈから構成されるｃｈセットグループを、規定する情報を含むことを特徴とする。
【００１２】
請求項５に係る発明は、請求項１または２に記載の音響信号処理装置において、前記指定部は、展開用の操作ブロックを複数指定する際、それら複数の操作ブロックの順番を指定するものであり、前記第２割当部は、展開指示されたグループの複数ｃｈを前記指定部により指定された操作ブロックの各ｃｈストリップに割り当てる際、前記指定された操作ブロックの順番に従って割り当てていくことを特徴とする。
【００１３】
請求項６に係る発明は、請求項１または２に記載の音響信号処理装置において、前記グループ情報は、割り当てた１つのｃｈストリップを用いてパラメータを連動制御する複数のｃｈから構成されるｃｈセットグループであって、１つのｃｈセットグループを構成するｃｈ数が前記操作ブロック内のｃｈストリップの数以下であるようなｃｈセットグループを規定する情報を含み、前記第２割当部は、展開指示されたｃｈセットグループの複数ｃｈを、前記指定部により指定された操作ブロックのうちの所定の１つの操作ブロックのｃｈストリップに、割り当てることを特徴とする。
【発明の効果】
【００１４】
本発明によれば、ＤＣＡグループやリンクグループやミュートグループやｃｈセットグループなどの各種のグループを構成するｃｈをｃｈストリップ部に展開するにあたって、その展開先のｃｈストリップ部を柔軟に指定することができ、また、指定されなかったｃｈストリップ部は展開前に割り当てられているレイヤで規定される各ｃｈを操作するｃｈストリップ部として使用できるので、ユーザにとって非常に使い勝手がよい。特に、複数のｃｈストリップ部を備えたミキサやｃｈストリップ部を適宜増設可能なミキサに適用すると効果が高い。さらに、１つのミキサを複数人で使用する場合も、それぞれの制御グループ毎に展開先を柔軟に指定できる。
【図面の簡単な説明】
【００１５】
【図１】本発明の実施形態のミキシングシステムの全体構成図
【図２】本システムのｃｈストリップ部の外観図
【図３】メイン装置のハードウェア構成図
【図４】フェーダ装置のハードウェア構成図
【図５】本システムにおけるミキシング処理のブロック構成図
【図６】画面上のＵｎｆｏｌｄキーおよびその関連する展開グループ選択操作の説明図
【図７】展開時と解除時のｃｈ割当の様子を示す説明図
【図８】各変数についての説明図
【図９】展開操作があったときのイベント処理のフローチャート
【図１０】ストリップの操作子が操作されたときのイベント処理のフローチャート
【発明を実施するための形態】
【００１６】
以下、図面を用いてこの発明の実施の形態を説明する。
【００１７】
図１は、この発明を適用した一実施形態であるミキシングシステムの全体構成を示す。このシステムは、メイン装置１３０およびフェーダ装置１３１〜１３４をオーディオネットワーク１４０に接続して構成されている。メイン装置１３０の操作パネル上には、複数本のｃｈストリップを備えたｃｈストリップ部１００および表示器１１０が設置されている。表示器１１０は、タッチパネルになっており、該画面上に表示したボタンを指などで触れてオン／オフするなどの操作入力を行うことができる。フェーダ装置１３１は、上部ｃｈストリップ部１０１および下部ｃｈストリップ部１０２の、計２ブロックのｃｈストリップ部を備えるとともに、それらの間にタッチパネルの表示部１１１を備えている。フェーダ装置１３２，１３３，１３４も同様のものである。オーディオネットワーク１４０は、複数ｃｈ（例えば４００ｃｈ程度）のディジタルオーディオ信号を任意の装置間で伝送可能なものである。
【００１８】
図２は、メイン装置１３０のｃｈストリップ部１００の外観を示す。ｃｈストリップ部１００は、８本のｃｈストリップ２０１−１〜２０１−８からなる。１本のｃｈストリップ、例えば２０１−１は、ロータリエンコーダ２１１，２１２、ＯＮキー２１３、ＳＥＬキー２１４、ＣＵＥキー２１６、表示部２１７、および電動フェーダ２１８を備える。ロータリエンコーダ２１１は、上側の表示器１１０に表示される内容に応じて機能が切り替わる操作子である。ロータリエンコーダ２１２は、各種のパラメータ調整用のロータリエンコーダであり、その外側にレベルメータとなるＬＥＤを備えている。ＯＮキー２１３は、当該ｃｈストリップ２０１−１が割り当てられているｃｈをオン／オフするスイッチである。ＳＥＬキー２１４は、当該ｃｈストリップ２０１−１に割り当てられているｃｈ等を選択するときに使用するスイッチである。ＯＮキー２１３とＳＥＬキー２１４は、ＬＥＤを備えており、キー全体を点灯させたり点滅させることができる。電動フェーダ２１８は、割り当てられているｃｈのレベル調整用のフェーダである。説明の便宜のため、２１１〜２１８の番号をｃｈストリップ２０１−２〜２０１−８にも使用する。例えば、ｃｈストリップ２０１−８のＳＥＬキーは「ｃｈストリップ２０１−８のＳＥＬキー２１４」と呼ぶものとする。
【００１９】
図１のフェーダ装置１３１の上部ｃｈストリップ部１０１と下部ｃｈストリップ部１０２、フェーダ装置１３２の上部ｃｈストリップ部１０３と下部ｃｈストリップ部１０４、フェーダ装置１３３の上部ｃｈストリップ部１０５と下部ｃｈストリップ部１０６、および、フェーダ装置１３４の上部ｃｈストリップ部１０７と下部ｃｈストリップ部１０８は、それぞれ、図２と同様の８本のｃｈストリップから構成される。ただし、ロータリエンコーダ２１１は、手前側の下部ｃｈストリップ部１０２，１０４，１０６，１０８には備えられているが、奥側の上部ｃｈストリップ部１０１，１０３，１０５，１０７には備えられていない。説明の便宜のため、図２の各部に付した番号をフェーダ装置のｃｈストリップ部１０１〜１０８にも使用する。
【００２０】
図３は、メイン装置１３０のハードウエア構成の概略を示す。ＣＰＵ（中央処理装置）３０１は、メイン装置１３０全体の動作を制御する処理装置である。ＲＯＭ＆ＲＡＭ３０２は、ＣＰＵ３０１が実行する各種のプログラムや各種のデータなどを格納する不揮発性および揮発性のメモリである。Ｐ（パネル）表示部３０３は、図１の表示部１１０に相当するタッチパネル式のディスプレイである。Ｐ（パネル）操作子３０４および電動Ｆ（フェーダ）３０５は、図１および図２で説明したｃｈストリップ部１００の操作子を含む操作パネル上の各種の操作子およびフェーダに相当する。
【００２１】
ＡＩＯ（オーディオ入出力インターフェース）３０６は、アナログオーディオ信号の入出力およびディジタルオーディオ信号の入出力を行うインターフェースである。ＡＩＯ３０６のアナログオーディオ信号の入出力では、マイク入力やライン入力したアナログオーディオ信号をディジタルオーディオ信号に変換し、オーディオバス３０９を介してＤＳＰ３０７やＮＩＯ（ネットワーク入出力インターフェース）３０８に出力するアナログ入力機能、および、ＤＳＰ３０７やＮＩＯ３０８から出力されるディジタルオーディオ信号をアナログオーディオ信号に変換して外部に出力するアナログ出力機能を実現することができる。また、ＡＩＯ３０６のディジタルオーディオ信号の入出力では、ＡＥＳ／ＥＢＵ、ＡＤＡＴ等のフォーマットで、プロセッサ、デジタルレコーダ等の外部機器からディジタルオーディオ信号を入力したり、外部機器へデジタルオーディオ信号を出力することができる。
【００２２】
ＤＳＰ（ディジタル信号処理装置）３０７は、ＣＰＵ３０１によって設定されたマイクロプログラムを、ＣＰＵ３０１によって設定されたパラメータに基づく係数データを使用して実行することにより、ＡＩＯ３０６やＮＩＯ３０８から入力したディジタルオーディオ信号の音量レベル制御処理、効果付与処理、およびミキシング処理などを行い、処理後のオーディオ信号をＡＩＯ３０６やＮＩＯ３０８経由で出力する。ＮＩＯ３０８は、オーディオネットワーク１４０を介して他装置との間でオーディオ信号を伝送するためのインターフェースである。オーディオバス３０９は、サンプリング周期毎に各デバイスに割り当てられた転送期間（フレーム）を利用して複数ｃｈのオーディオデータを転送可能にするバスである。ＣＰＵバス３１０は、上述した各部を相互に接続するバスであり、コントロールバス、データバス、およびアドレスバスを総称したものである。
【００２３】
図４は、フェーダ装置１３１のハードウェア構成の概略を示す。他のフェーダ装置１３２〜１３４も同じ構成である。ＣＰＵ４０１は、フェーダ装置全体の動作を制御する処理装置である。ＲＯＭ＆ＲＡＭ４０２は、ＣＰＵ４０１が実行する各種のプログラムや各種のデータなどを格納する不揮発性および揮発性のメモリである。Ｐ表示部４０３は、図１の表示部１１１に相当するタッチパネル式のディスプレイである。Ｐ操作子４０４および電動Ｆ４０５は、図１および図２で説明したｃｈストリップ部１０１および１０２の操作子を含む操作パネル上の各種の操作子およびフェーダに相当する。ＡＩＯ４０６およびＮＩＯ４０８は、それぞれメイン装置１３０のＡＩＯ３０６およびＮＩＯ３０８と同様のものである。ただし、フェーダ装置はＤＳＰを備えていない。
【００２４】
図５は、図１〜４で説明したミキシングシステムにより実現するミキシング処理のブロック構成を示す。点線５１０内はメイン装置１３０で実現している部分である。Ａｉ（ｍ）５１１は、メイン装置１３０のＡＩＯ３０６に備えられた入力部であり、該入力部を介して外部から複数系列のオーディオ信号を入力する。Ａｉ（ｆ）５０１は、フェーダ装置１３１〜１３４の各ＡＩＯ４０６に備えられた入力部および各ＮＩＯ４０８であり、該入力部を介して外部から入力した複数系列のオーディオ信号は、ＮＩＯ４０８とオーディオネットワーク１４０とＮＩＯ３０８を介してメイン装置１３０に入力する。
【００２５】
入力パッチ５１２から出力パッチ５１６までの部分は、メイン装置１３０のＤＳＰ３０７で実現している。入力パッチ５１２は、Ａｉ（ｆ）５０１およびＡｉ（ｍ）５１１の各入力信号と入力ｃｈ部５１３の各入力ｃｈとの間の任意結線を行うブロックである。入力ｃｈ部５１３は、入力信号に対するレベル制御や周波数特性の調整処理などの各種の信号処理を行う複数のｃｈを示す。混合バス５１４は、ミキシング処理を行うための複数のバスからなる。入力ｃｈ部５１３の任意の入力ｃｈの信号を任意の混合バス５１４内のバスへ選択的に出力し、該バス上で混合処理する。出力ｃｈ部５１５は、混合バス５１４の各バスで混合された信号に対して、出力側の各種の調整処理を行うための複数のｃｈを示す。出力パッチ５１６は、出力ｃｈ部５１５の各出力ｃｈの信号とＡｏ（ｆ）５０２およびＡｏ（ｍ）５１７との間の任意結線を行うブロックである。
【００２６】
Ａｏ（ｍ）５１７は、メイン装置１３０のＡＩＯ３０６に備えられた出力部であり、該出力部を介して外部に複数系列のオーディオ信号を出力する。なお、出力パッチ５１６から出力された信号を入力パッチ５１２を介して入力ｃｈ部５１３に戻して再度信号処理することがあるが、Ａｉ（ｍ）５１１とＡｏ（ｍ）５１７はそのような内部的な信号も含むものとする。Ａｏ（ｆ）５０２は、ＮＩＯ３０８による出力部であり、該出力部およびＮＩＯ４０８を介してフェーダ装置１３１〜１３４にオーディオ信号を出力する。
【００２７】
ここで図５のミキシング処理で用いるパラメータについて説明しておく。図３のＲＡＭ３０２にはカレントメモリが設けられている。カレントメモリは、図５で説明したミキシング処理で使用する各種パラメータを設定するパラメータ記憶部であり、入力ｃｈ部５１３の各入力ｃｈ毎および出力ｃｈ部の各出力ｃｈ毎のパラメータもここに設定される。カレントメモリ上のパラメータのうち、ＤＳＰ３０７における信号処理に関わるパラメータは、カレントメモリからＤＳＰ３０７に送られて係数データとして設定される。カレントメモリ上のパラメータに変更があったときは、リアルタイムにその変更がＤＳＰ３０７の係数データに反映される。従って、ＤＳＰ３０７は、常にカレントメモリの最新のパラメータ値に基づいて各種の信号処理を実行している。カレントメモリ上のパラメータは、メイン装置１３０やフェーダ装置１３１〜１３４の操作パネル上の操作子を用いて変更することができる。
【００２８】
メイン装置１３０のｃｈストリップ部１００やフェーダ装置１３１〜１３４のｃｈストリップ部１０１〜１０８への各ｃｈの割り当ては、レイヤスイッチによる。レイヤスイッチは、図１のｃｈストリップ部１００〜１０８の各々の右端に備えられている縦一列のスイッチの中に設けられている。例えば、入力ｃｈ１〜８を割り当てるためのｃｈレイヤスイッチＡ、入力ｃｈ９〜１６を割り当てるためのｃｈレイヤスイッチＢ、…などを設けておき、ｃｈストリップ部１００に対してｃｈレイヤスイッチＡをオンすることで入力ｃｈ１〜８を割り当て、ｃｈストリップ部１０１に対してｃｈレイヤスイッチＢをオンすることで入力ｃｈ９〜１６を割り当て、…というように割り当てを行う。この場合、各ｃｈレイヤ毎に、割り当てる複数ｃｈを示すレイヤ情報を所定の記憶部（レイヤ記憶部）に用意しておき、オンされたｃｈレイヤスイッチに対応するレイヤ情報が示す複数ｃｈを、指定されたｃｈストリップ部に割り当てるようにする。このｃｈレイヤスイッチによる割り当てでは、１本のｃｈストリップに１つのｃｈが割り当てられる。あるｃｈストリップの操作子を操作することで、カレントメモリのパラメータのうちの、そのｃｈストリップに割り当てられているｃｈのパラメータの値を変えることができる。例えば、ある入力ｃｈが割り当てられたｃｈストリップのフェーダにより、その入力ｃｈのオーディオ信号の音量を制御するｃｈフェーダパラメータの値を変化させることができる。
【００２９】
さらに、このミキシングシステムは、複数ｃｈをグループ化し一括して制御する機能を備えている。具体的には、ＤＣＡグループ、リンクグループ、ミュートグループ、およびｃｈセットグループである。
【００３０】
ＤＣＡグループは８つ設定でき、それらをＤＣＡグループ１〜８と呼ぶ。各ＤＣＡグループには、ユーザが任意に選択した複数の入力ｃｈを登録できる。上述のレイヤスイッチは、ＤＣＡレイヤスイッチを含む。ＤＣＡグループを呼び出す対象のｃｈストリップ部を指定し、ＤＣＡレイヤスイッチをオンすることで、そのｃｈストリップ部の８本のｃｈストリップ２０１−１〜２０１−８に左から順にＤＣＡグループ１〜８が割り当てられる。この場合、ＤＣＡレイヤで割り当てる各ＤＣＡグループの複数ｃｈを示すＤＣＡレイヤ情報をレイヤ記憶部に用意しておき、ＤＣＡレイヤスイッチがオンされたときには、該ＤＣＡレイヤ情報に基づいて、指定されたｃｈストリップ部にＤＣＡグループを割り当てる。例えば、ＤＣＡグループ１に入力ｃｈ１１〜２０を登録し、メイン装置１３０のｃｈストリップ部１００にＤＣＡグループを呼び出したとすると、該ｃｈストリップ部１００の１番左側のｃｈストリップ２０１−１の操作子でＤＣＡグループ１を構成する入力ｃｈ１１〜２０の音量等の一括した制御を行うことができる。同様に、ｃｈストリップ２０１−２〜２０１−８で、ＤＣＡグループ２〜８をそれぞれ制御できる。ある入力ｃｈをあるＤＣＡグループに登録した場合、その入力ｃｈのオーディオ信号の音量は、その入力ｃｈのｃｈフェーダパラメータとそのＤＣＡグループのＤＣＡフェーダパラメータとによって制御されるようになる。その場合、そのＤＣＡフェーダパラメータの値は、そのＤＣＡグループが割り当てられたｃｈストリップのフェーダにより変えることができる。
【００３１】
リンクグループは、ユーザが任意に選択した複数のｃｈでリンクグループを構成し、リンクグループを構成する複数ｃｈの所定のパラメータ（ユーザが指定したパラメータ）を連動（リンク）させるものである。ミュートグループは、ユーザが任意に選択した複数のｃｈでミュートグループを構成し、所定のスイッチによりミュートグループを構成する複数ｃｈのミュートのオン／オフを行うものである。リンクグループおよびミュートグループは、それぞれ任意の数のグループを設定することができる。
【００３２】
ｃｈセットグループは、ユーザが任意に選択した最大８のｃｈでｃｈセットグループを構成するものであり、構成されたｃｈセットグループは、カスタムレイヤにおいて、任意のｃｈストリップに割り当てることができる。ｃｈセットグループが割り当てられたｃｈストリップの操作子を操作することにより、該ｃｈセットグループを構成する複数ｃｈの一括した制御を行うことができる。ｃｈセットグループは、、ステレオＬＲの２ｃｈあるいはサラウンド５．１ｃｈをグループ化して１本のｃｈストリップで連動制御することを目的としている。
【００３３】
カスタムレイヤは、ユーザが、８本の各ｃｈストリップに、複数の入力ｃｈ、複数のＤＣＡグループ、および、複数のｃｈセットグループのうちの何れか１つを任意に選択して割り当てることにより作成されたレイヤであり、複数作成することができる。各カスタムレイヤの定義情報は、８つの各ｃｈストリップに、入力ｃｈ、ｃｈセットグループ、およびＤＣＡグループの何れが割り当てられているかを示す。あるｃｈストリップ部で、あるカスタムレイヤに対応するカスタムレイヤスイッチがオンされると、該ｃｈストリップ部の８本のｃｈストリップの各々に、該カスタムレイヤスイッチに対応する定義情報に基づいて、１の入力ｃｈ、ｃｈセットグループ、またはＤＣＡグループが割り当てられる。
【００３４】
なお、このような複数ｃｈをグループ化し一括して制御するする機能においては、ユーザが各グループに任意の入力ｃｈを選択して登録することができればよいのであって、その登録の具体的な方法はどのようなものでもよい。グループが作成されたとき、該グループを構成する複数ｃｈを示すグループ情報を所定の記憶領域に記憶して利用する。
【００３５】
このような複数ｃｈをグループ化して連動制御する機能は便利なものであるが、一方で、グループを構成する複数ｃｈを個々のｃｈ毎に個別に操作したい場合がある。そのため、本システムでは、グループ化した複数ｃｈを個々のｃｈストリップに展開して個別に操作できるようにする機能が設けられている。
【００３６】
図６は、画面上のＵｎｆｏｌｄキー、および、その関連する展開グループ選択操作の説明図である。６００は、タッチパネルの表示部に表示するグループ展開用のＵｎｆｏｌｄキー群を示す。このＵｎｆｏｌｄキー群６００は、例えば図１のメイン装置１３０の表示器１１０の位置１２１に、またフェーダ装置１３２の表示器１１２の位置１２２に、表示されるが、どの装置の表示部に表示されるかについては後に詳しく説明する。
【００３７】
Ｕｎｆｏｌｄキー群６００を用いたグループの展開の操作方法について説明する。まずＤＣＡグループの展開について説明する。いまメイン装置１３０のｃｈストリップ部１００にＤＣＡレイヤが呼び出されているとする。メイン装置１３０の表示器１１０の位置１２１には、図６のＵｎｆｏｌｄキー群６００が表示されている。何れかのｃｈストリップ部にＤＣＡレイヤが呼び出されているときには、ＤＣＡ展開キー６０１が有効表示（オンすることが可能なボタンとして表示）されるものとし、そうでない場合はＤＣＡ展開キー６０１はグレイ表示されてオン操作できないものとする。有効表示されているＤＣＡ展開キー６０１をタッチすると、該ＤＣＡ展開キー６０１がオン状態（反転表示あるいは色を変えた表示などがなされる）となる。
【００３８】
なお、６０１〜６０５の各Ｕｎｆｏｌｄキーは、同時にオン状態になることはなく、何れかのＵｎｆｏｌｄキーがオン状態にあるときに他のＵｎｆｏｌｄキーがタッチされると、最後にタッチされたＵｎｆｏｌｄキーのみがオン状態となり、その他のＵｎｆｏｌｄキーはオフ状態となるものとする。なお、ｃｈセット＃１展開キー６０４とｃｈセット＃２展開キー６０５とは同時にオン状態にできないものとするが、後述するように、展開先が相互に異なっているので、これらの展開キーについては同時にオンできるように変更することもできる。
【００３９】
ＤＣＡ展開キー６０１をオン状態とした後、ＤＣＡレイヤが呼び出されているｃｈストリップ部１００の何れかのｃｈストリップのＳＥＬスイッチをオンすると、そのｃｈストリップに割り当てられているＤＣＡグループが選択され、その選択されたＤＣＡグループを構成するｃｈが、予め展開先として指定されているｃｈストリップ部に展開される。展開先として使用するｃｈストリップ部の指定方法については、図８（ｃ）および（ｄ）の変数ＵＦＢのところで説明する。例えば、ｃｈストリップ部１００のｃｈストリップ２０１−１にＤＣＡグループ１が呼び出されており、該ＤＣＡグループ１に入力ｃｈ１１〜２０が登録されており、展開先としてｃｈストリップ部１０５と１０７が順に指定されていたとすると、上述の展開オン操作により、ｃｈストリップ部１０５の８本のｃｈストリップには左から順に入力ｃｈ１１〜１８が展開され、ｃｈストリップ部１０７の８本のｃｈストリップには左から順に残りの入力ｃｈ１９，２０が展開される。これにより、選択されたＤＣＡグループ１を構成する入力ｃｈ１１〜２０を、ｃｈストリップ部１０５の８本のｃｈストリップとｃｈストリップ部１０７の左側の２本ｃｈストリップにより個別に制御することができる。この場合、ｃｈストリップ部１０７の右側の６本ｃｈストリップは無効となる。
【００４０】
次に、リンクグループの展開について説明する。図６のＵｎｆｏｌｄキー群６００のうち、リンク展開キー６０２をタッチしてオン状態にする。このとき、各装置の操作パネル上のｃｈストリップのうち、そのｃｈストリップに割り当てられているｃｈが何れかのリンクグループに属しているところのｃｈストリップについては、ＳＥＬキー２１４が点滅する。点滅しているＳＥＬキー２１４のうちの何れか１つをオンすると、そのｃｈストリップに割り当てられているｃｈを含むリンクグループが選択され、その選択されたリンクグループを構成するｃｈが、展開先として指定されているｃｈストリップ部に展開される。なお、リンクグループが複数設定されている場合は、例えば、第１のリンクグループに属するｃｈのｃｈストリップのＳＥＬキーを所定時間点滅させ、次に第２のリンクグループに属するｃｈのｃｈストリップのＳＥＬキーを所定時間点滅させ、…というように、所定時間毎に点滅させるリンクグループを切り替えるようにして、各リンクグループに属するｃｈをユーザに知らせるようにしてもよい。或いは、何れかのリンクグループに属しているｃｈが割り当てられている全てのｃｈストリップのＳＥＬキーを、一斉に点滅させるようにしてもよい。
【００４１】
ミュートグループの展開は、上記リンクグループと同様である。ただし、ミュート展開キー６０３をタッチしてオン状態にした後のミュートグループの選択は、ＳＥＬキー２１４ではなく、ミュートのオン／オフを行うミュートスイッチによる。本システムでは、各ミュートグループに専用のミュートスイッチは設けられておらず、ユーザが任意に機能を割り当てることができる複数のユーザ定義スイッチの１つにミュートスイッチの機能を割り当て、該ユーザ定義スイッチをミュートスイッチとして使用するようになっている。例えば、ユーザ定義スイッチ１にミュートグループ１のミュートのオン／オフを行う機能を割り当てた場合、ミュート展開キー６０３をタッチしてオン状態にした後に、ユーザ定義スイッチ１をオンするとミュートグループ１が選択され、該ミュートグループ１を構成するｃｈが、展開先として指定されているｃｈストリップ部に展開される。
【００４２】
次に、ｃｈセットグループの展開について説明する。ｃｈセットグループが何れかのｃｈストリップに割り当てられている状態のとき、ｃｈセット＃１展開キー６０４とｃｈセット＃２展開キー６０５が有効表示される。ｃｈセット＃１展開キー６０４をタッチしてオン状態にしたとする。このとき、各装置の操作パネル上のｃｈストリップのうち、ｃｈセットグループが割り当てられているｃｈストリップについては、ＳＥＬキー２１４が点滅する。点滅しているＳＥＬキー２１４のうちの何れか１つをオンすると、そのｃｈストリップに割り当てられているｃｈセットグループが選択され、その選択されたｃｈセットグループを構成するｃｈが、展開先として指定されているｃｈストリップ部に展開される。ここで、ｃｈセットグループを構成するｃｈ数は８ｃｈ以下であるので、どのｃｈセットグループが選択されたとしても、展開先は１つのｃｈストリップ部（８本のｃｈストリップ）で済む。そこで、ｃｈセット＃１展開キー６０４による展開の展開先は、予め第１番目の展開先として指定されているｃｈストリップ部と決められているものとする。
【００４３】
ｃｈセット＃２展開キー６０５による展開も同様である。ただし、ｃｈセット＃２展開キー６０５による展開の展開先は、予め第２番目の展開先として指定されているｃｈストリップ部と決められている。なお、本実施形態では、ｃｈセット＃１展開キー６０４とｃｈセット＃２展開キー６０５とは同時にオンすることができないが、展開先が相互に異なっているので、同時にオンできるように変更することもできる。その場合、同時にオンされた場合を１つのモードとして後述する展開モードＵＦＭ（ｃｇ）に定義するとともに、ＵＦＧ（ｃｇ）を２つ用意して（ＵＦＧ１（ｃｇ）とＵＦＧ２（ｃｇ））、異なる２つのグループを同時に展開できるようにすればよい。さらに、展開先として第３番目以降のｃｈストリップ部を指定できれば、ｃｈセットキーをさらに増やすことも可能である。
【００４４】
上述したようなオン操作で展開を行った後、Ｕｎｆｏｌｄキー群６００の６０１〜６０５の各Ｕｎｆｏｌｄキーの中でオン状態にあるキーを再度タッチするオフ操作を行うことで、そのキーにより実行されている展開は解除され、その展開に使用されたｃｈストリップ部の割り当ては展開前の状態に戻る。
【００４５】
図７は、１０ｃｈで構成されたグループの展開時と解除時のｃｈ割り当ての様子を示す説明図である。図７（ａ）は、展開する前の状態を示す。７０１〜７０３は、それぞれ８本のｃｈストリップを備えたｃｈストリップ部を示す。ｃｈストリップ部７０１にＯＦＦと表記されているのは、このｃｈストリップ部が展開に使用しないｃｈストリップ部であることを示す。ｃｈストリップ部７０２に＃１と表記されているのは、このｃｈストリップ部が第１番目に展開に使用するｃｈストリップ部であると指定されていることを示している。ｃｈストリップ部７０３に＃２と表記されているのは、このｃｈストリップ部が第２番目に展開に使用するｃｈストリップ部であると指定されていることを示している。なお、詳しくは図８（ｃ）および（ｄ）で後述するが、上述のＯＦＦはＵＦＢ＝０、＃１はＵＦＢ＝１、＃２はＵＦＢ＝２に設定されていることを示している。これら３ブロックのｃｈストリップ部７０１〜７０３の各々には、そのブロックのレイヤスイッチにより所望のレイヤが呼び出されており、各ｃｈストリップにはそのレイヤで定義されている割り当てが為されている。
【００４６】
図７（ａ）の状態から、１０ｃｈで構成されたグループの展開のオン操作があったとする。図７（ｂ）に、展開後の状態を示す。ｃｈストリップ部７０１は、ＯＦＦであるので割り当て状態に変更はなく、展開前のレイヤの各ｃｈを操作するものとして機能する。ｃｈストリップ部７０２は、展開対象として選択されたグループに属する１０ｃｈのうち初めの８ｃｈが割り当てられる。残りの２ｃｈはｃｈストリップ部７０３に割り当てられる。図７（ｂ）の状態から展開オフ操作があると、図７（ａ）の状態に戻る。
【００４７】
次に、本システムで用いるデータおよび変数について説明する。
【００４８】
(1)ブロック番号ｂｎ：ｂｎはブロック番号を格納する変数である。ブロック番号は、図１に示すように配置された各装置のｃｈストリップ部１００〜１０８（以下、「ブロック」と言う）に対して付した番号であり、各ブロックを特定する番号である。ここでは図８（ａ）に示すように、メイン装置１３０のブロック１００をｂｎ＝０、フェーダ装置１３１の上段ブロック１０１をｂｎ＝１、その下段ブロック１０２をｂｎ＝２、同様に、フェーダ装置１３２の上段１０３をｂｎ＝３、下段１０４をｂｎ＝４、フェーダ装置１３３の上段１０５をｂｎ＝５、下段１０６をｂｎ＝６、フェーダ装置１３４の上段１０７をｂｎ＝７、下段１０８をｂｎ＝８と、それぞれ割り当てた。各ブロック番号は、ミキシングシステムのブロックの構成に応じて固定値で予め割り当てるものである。なお、ブロック番号はシステムの立ち上げ時に自動決定してもよい。各装置は、所定の記憶領域を参照することで自機のブロック番号を知ることができる。メイン装置１３０は、ネットワーク１４０による伝送を行う際に使用する各装置のネットワークアドレスとその装置のブロック番号との対応関係を所定の記憶領域に記憶しているものとする。ブロック番号ｂｎで特定されるブロックを、単にブロックｂｎと呼ぶ場合がある。他の変数およびデータについても同様の呼び方をする場合があるものとする。
【００４９】
(2)制御グループ番号ＣＧ（ｂｎ）：図８（ｂ）に、制御グループを特定する制御グループ番号の設定例を示す。制御グループとは、複数人で１つのミキシングシステムを使用する際に、各オペレータ毎に制御系（Ｃｕｅやモニタなど）を分離するためのグループの設定を言う。ここでは、メイン装置１３０、フェーダ装置１３３、およびフェーダ装置１３４を第１オペレータが操作し、フェーダ装置１３１および１３２を第２オペレータが操作するものとして、各ブロックの制御グループ番号ＣＧを設定した。具体的には、制御グループ番号は、ブロック番号ｂｎをインデックスとする配列ＣＧ（ｂｎ）で表されるデータである。図８（ｂ）の設定例では、第１オペレータが操作するブロック１００，１０５〜１０８を第１制御グループと定義するために、ｂｎ＝０，５〜８のそれぞれに対してＣＧ（ｂｎ）＝１と設定し、第２オペレータが操作するブロック１０１〜１０４を第２制御グループと定義するために、ｂｎ＝１〜４のそれぞれに対してＣＧ（ｂｎ）＝２と設定している。制御グループ番号ＣＧ（ｂｎ）は、予め管理者が固定値として設定しておくものとし、各装置は所定の記憶領域を参照することにより、各ブロックの制御グループ番号を知ることができる。
【００５０】
なお、図６のＵｎｆｏｌｄキー群６００は制御グループ毎に少なくとも１つ表示されている必要がある。第１オペレータと第２オペレータは、それぞれの制御グループで操作をする中でＵｎｆｏｌｄキー群６００を使用して展開を行うからである。上記で図６を参照して展開の操作方法を説明したが、これは１つの制御グループにおける展開を説明したものである。各制御グループ毎に、どの装置の表示部にＵｎｆｏｌｄキー群６００を表示するかは、管理者が予め指定するものとする。この実施形態では、第１制御グループは図１のメイン装置１３０の表示器１１０の位置１２１に、第２制御グループはフェーダ装置１３２の表示器１１２の位置１２２に、それぞれＵｎｆｏｌｄキー群６００を表示するように設定されているものとする。
【００５１】
(3)展開ブロック番号ＵＦＢ（ｂｎ）：図８（ｃ）に、展開ブロック番号の設定例１を示す。展開ブロック番号は、ブロック番号ｂｎを添字とする配列ＵＦＢ（ｂｎ）で表す。展開ブロック番号ＵＦＢ（ｂｎ）は、各制御グループに属するブロックの範囲で、展開に使用するブロックの順番を示す番号（１からの連番とする）を保持する。ＵＦＢ（ｂｎ）＝０のブロックｂｎは、展開に使用しないことを示す。ＵＦＢ（ｂｎ）＝０のブロックは、上述した展開の操作が行われた場合であっても、それらのブロックに割り当てられているｃｈ等の変更はない。展開ブロック番号ＵＦＢ（ｂｎ）は、予め管理者が固定値として設定しておくものとし、各装置は所定の記憶領域を参照することにより、各ブロックの展開ブロック番号を知ることができる。
【００５２】
図８（ｃ）の例では、第１制御グループに属するブロックｂｎ＝０，５〜８のうち、ブロックｂｎ＝０，６，８は展開に使用しないので、ＵＦＢ（ｂｎ）＝０に設定している。展開先として第１番目に使用するブロックｂｎ＝５はＵＦＢ（ｂｎ）＝１に設定し、第２番目に使用するブロックｂｎ＝７はＵＦＢ（ｂｎ）＝２に設定している。また、第２制御グループに属するブロックｂｎ＝１〜４のうち、ブロックｂｎ＝２，４は展開に使用しないので、ＵＦＢ（ｂｎ）＝０に設定している。第１番目の展開先ブロックｂｎ＝１はＵＦＢ（ｂｎ）＝１に設定し、第２番目の展開先ブロックｂｎ＝３はＵＦＢ（ｂｎ）＝２に設定している。
【００５３】
図８（ｄ）の例では、第１制御グループに属するブロックｂｎ＝０，５〜８のうち、ブロックｂｎ＝５，６は展開に使用しないので、ＵＦＢ（ｂｎ）＝０に設定している。第１番目の展開先ブロックｂｎ＝０はＵＦＢ（ｂｎ）＝１に設定し、第２番目の展開先ブロックｂｎ＝６はＵＦＢ（ｂｎ）＝２に設定し、第３番目の展開先ブロックｂｎ＝８はＵＦＢ（ｂｎ）＝３に設定している。また、第２制御グループに属するブロックｂｎ＝１〜４のうち、ブロックｂｎ＝３，４は展開に使用しないので、ＵＦＢ（ｂｎ）＝０に設定している。第１番目の展開先ブロックｂｎ＝１はＵＦＢ（ｂｎ）＝１に設定し、第２番目の展開先ブロックｂｎ＝２はＵＦＢ（ｂｎ）＝２に設定している。
【００５４】
なお、各ブロックの展開ブロック番号ＵＦＢ（ｂｎ）は管理者が適宜設定するものであるので、（ある制御グループについて）展開に使用するブロックを幾つにするかは任意に設定することができる。また、上述した種々のグループを構成するｃｈ数も区々である。そのため、展開に使用するブロックの全ｃｈストリップの数と展開対象のグループを構成するｃｈ数とが一致するとは限らない。展開時には、基本的に展開対象のグループを構成するｃｈをまずＵＦＢ（ｂｎ）＝１のブロックの左側のｃｈストリップから順に展開し、８ｃｈ分が展開されたら、次のＵＦＢ（ｂｎ）＝２のブロックに展開し、…というように割り当てていく。ただし、展開に使用するブロックの全ｃｈストリップの数が展開対象のグループを構成するｃｈ数より大きい場合、展開に使用されなかったｃｈストリップは無効となり何の役割も果たさない。逆に、展開に使用するブロックの全ｃｈストリップの数が展開対象のグループを構成するｃｈ数より小さい場合は、グループを構成するｃｈ中に展開できないｃｈが残ることになる。
【００５５】
(4)展開モードＵＦＭ（ｃｇ）：ＵＦＭ（ｃｇ）は、制御グループ番号ｃｇの制御グループにおける現在の展開モードを格納する配列である。展開モードは、０でその制御グループの展開を行わないこと（ＯＦＦ）を示す。また、１でＤＣＡ展開キー６０１のオン操作によるＤＣＡグループの展開を、２でリンク展開キー６０２のオン操作によるリンクグループの展開を、３でミュート展開キー６０３のオン操作によるミュートグループの展開を、４でｃｈセット＃１展開キー６０４のオン操作によるｃｈセットグループの展開を、５でｃｈセット＃２展開キー６０５のオン操作によるｃｈセットグループの展開を、それぞれ行うことを示す。初期値は全ての制御グループについてＵＦＭ（ｃｇ）＝０とし、展開のオン操作があるとその種別に応じて１〜５の何れかが設定され、展開のオフ操作により０に戻る。
【００５６】
(5)展開グループ番号ＵＦＧ（ｃｇ）：ＵＦＧ（ｃｇ）は、制御グループ番号ｃｇの制御グループにおいて展開対象として選択されたグループを特定するグループ番号を格納する配列である。例えば、ＤＣＡグループであれば、各ＤＣＡグループ１〜８をグループ番号１〜８で順に特定する。また、リンクグループおよびミュートグループであれば、それぞれ任意の数のグループを設定できるので、それぞれ１から連番で付したグループ番号で各グループを特定する。また、ｃｈセットグループについても、各ｃｈセットグループを作成したときに１から連番で付したグループ番号で各グループを特定する。
【００５７】
(6)現レイヤ番号ＬＮ（ｂｎ）：各ブロックｂｎ毎に、そのブロックに現在呼び出されているレイヤを特定するレイヤ番号を格納する配列である。レイヤ番号は、各ブロックに呼び出すことが可能なレイヤの全てを識別できるように、かつ、ｃｈレイヤに割り当てられた範囲とＤＣＡレイヤに割り当てられた範囲とカスタムレイヤに割り当てられた範囲とが重ならないように、予め番号が定義してある。例えば、ｃｈレイヤとして１６個（ｃｈ１〜８を割り当てるためのｃｈレイヤ１、ｃｈ９〜１６を割り当てるためのｃｈレイヤ２、…、ｃｈ１２１〜１２８を割り当てるためのｃｈレイヤ１６）、ＤＣＡレイヤとして１個、カスタムレイヤとして２個が呼び出し可能なら、ｃｈレイヤ１〜１６に順にレイヤ番号１〜１６を割り当て、ＤＣＡレイヤにレイヤ番号１７を割り当て、２個のカスタムレイヤにレイヤ番号１８，１９を割り当てる。レイヤ番号により、そのレイヤがｃｈレイヤかＤＣＡレイヤかカスタムレイヤかを判別できる。ブロックｂｎにおいてレイヤ切り替えがあると、直ちにＬＮ（ｂｎ）が書き替えられる。
【００５８】
(7)割り当てｃｈ番号ＬＡＤ（ｌｎ，ｓｎ）：レイヤ番号ｌｎで特定されるレイヤのｃｈストリップ番号ｓｎで特定されるｃｈストリップに割り当てられるｃｈのｃｈ番号を示すデータである。本データは、レイヤｌｎがｃｈレイヤである場合のみ有効である。例えば、レイヤｌｎが入力ｃｈ９〜１６を割り当てるｃｈレイヤであれば、ｃｈストリップ番号ｓｎ＝１〜８に対応する割り当てｃｈ番号ＬＡＤ（ｌｎ，ｓｎ）は順にＬＡＤ＝９〜１６となる。なお、ｃｈストリップ部の８本の各ｃｈストリップのｃｈストリップ番号は、左から順にｓｎ＝１〜８と割り付けるものとする。
【００５９】
(8)グループ内ｃｈ番号ＧＤ（ｇｔ，ｇｎ，ｊ）：グループ種別ｇｔかつグループ番号ｇｎで特定されるグループ内のｊ番目のｃｈのｃｈ番号を示すデータである。グループ種別は、（上述の展開モードＵＦＭの値に沿って、）１でＤＣＡグループ、２でリンクグループ、３でミュートグループ、４でｃｈセットグループ（ｃｈセット＃１展開キーによる場合）、５でｃｈセットグループ（ｃｈセット＃２展開キーによる場合）を示す。グループ番号は、展開グループ番号ＵＦＧで説明した通り、各グループ種別毎に、１からの連番でグループを特定する。各グループ内のｃｈは順序付けられているので、ｊ番目のｃｈのｃｈ番号をＧＤ（ｇｔ，ｇｎ，ｊ）として返す。
【００６０】
図９は、展開のオン操作があったときにメイン装置１３０のＣＰＵ３０１が実行するイベント処理のフローである。メイン装置１３０やフェーダ装置１３１〜１３４で上記図６で説明した展開のオン操作があると、そのオン操作が為された制御グループの制御グループ番号が変数ｃｇに、オン状態にされたＵｎｆｏｌｄキー（図６の６０１〜６０５の何れか）に応じたグループ種別が変数ｇｔに、展開対象として選択されたグループのグループ番号が変数ｇｎに、それぞれ設定されて展開オン操作イベントが発生される。該展開操作イベントが発生されたとき本処理が開始される。
【００６１】
ステップ９０１で、グループ種別ｇｔとグループ番号ｇｎをＵＦＭ（ｃｇ）とＵＦＧ（ｃｇ）に代入する。ステップ９０２でＵＦＭ（ｃｇ）が４または５か、すなわちｃｈセットグループの展開かを判定する。そうでないときは、ステップ９０３で、制御グループｃｇ内のＵＦＢ（ｂｎ）が０でないブロックに、グループ種別ｇｔかつグループ番号ｇｎで特定されるグループを展開する。具体的には、まずＵＦＢ（ｂｎ）＝１のブロックに当該グループ中の初めの８ｃｈを割り当て、次にＵＦＢ（ｂｎ）＝２のブロックに割り当て、…というようにｃｈを割り当てていく。ステップ９０２で展開モードがｃｈセットグループの展開を示しているときは、ステップ９０４で展開先を判定する。ＵＦＭ（ｃｇ）＝４のときはステップ９０５に進み、ＵＦＭ（ｃｇ）＝５のときはステップ９０６に進む。ステップ９０５では、制御グループｃｇ内のＵＦＢ（ｂｎ）＝１のブロックに、グループ番号ｇｎで特定されるｃｈセットグループを展開する。ステップ９０６では、制御グループｃｇ内のＵＦＢ（ｂｎ）＝２のブロックに、グループ番号ｇｎで特定されるｃｈセットグループを展開する。
【００６２】
なお、Ｕｎｆｏｌｄキー６０１〜６０５の何れかがオン状態のとき、再度そのキーがタッチされた場合は、展開オフ操作イベントが発生する。このオフ操作イベント処理では、展開モードＵＦＭ（ｃｇ）が０にリセットされ、タッチされたＵｎｆｏｌｄキーはオフ状態とされる。また、展開に使用されたブロックの割り当ては展開前の状態に戻す。
【００６３】
図１０は、何れかのｃｈストリップの操作子が操作されたときにメイン装置１３０のＣＰＵ３０１が実行するイベント処理のフローである。メイン装置１３０やフェーダ装置１３１〜１３４が備えている何れかのｃｈストリップの何れかの操作子が操作されると、その操作が為されたブロックのブロック番号が変数ｂｎに、そのブロック内でその操作が為されたｃｈストリップを特定するｃｈストリップ番号が変数ｓｎに、そのｃｈストリップ内でその操作が為された操作子を特定する操作子番号が変数ｃｎに、それぞれ設定されて操作子イベントが発生される。該操作子イベントが発生されたとき本処理が開始される。なお、その操作子の操作内容（例えば、スイッチであれば押下されたことを示す情報、ノブやフェーダであれば、その操作位置（絶対値）、または、単位時間当たりの操作量など）も該操作子イベントに付随する情報として本処理に渡される。
【００６４】
ステップ１００１で、操作内容を変数ｂｕｆに、操作されたブロックの制御グループ番号ＣＧ（ｂｎ）を変数ｃｇへ、該制御グループの展開モードＵＦＭ（ｃｇ）を変数ｇｔへ、展開グループ番号ＵＦＧ（ｃｇ）を変数ｇｎへ、それぞれ代入する。ステップ１００２で、展開モードＵＦＭ（ｃｇ）＝０なら、操作された制御ブロックでは展開が為されていないということであるから、ステップ１００３で、操作されたブロックの現レイヤＬＮ（ｂｎ）がｃｈレイヤか判別する。ｃｈレイヤであるときは、ステップ１００４で、現レイヤ番号ＬＮ（ｂｎ）を変数ｌｎへ、操作されたｃｈストリップｓｎに割り当てられているｃｈ番号ＬＡＤ（ｌｎ，ｓｎ）を変数ｉへ、それぞれ代入する。ステップ１００５で、第ｉｃｈの操作子番号ｃｎに応じたパラメータ値を、操作内容ｂｕｆに応じて、変更する。
【００６５】
ステップ１００６でレイヤＬＮ（ｂｎ）がＤＣＡレイヤか判別し、そうであるときは、ステップ１００７で、ｃｈストリップｓｎに割り当てられているＤＣＡグループに属する各ｃｈを、操作内容ｂｕｆに応じて連動制御（ＤＣＡ制御）する。ステップ１００６でレイヤＬＮ（ｂｎ）がカスタムレイヤのときは、ステップ１００８で、当該ブロックに呼び出されているカスタムレイヤ定義ファイルを特定し、該カスタムレイヤ定義ファイルの内容に応じてｃｈストリップｓｎに割り当てられているｃｈまたはｃｈセットグループを特定し、特定されたｃｈまたはｃｈセットグループの各ｃｈを操作内容ｂｕｆに応じて制御する。
【００６６】
ステップ１００２でＵＦＭ（ｃｇ）≠０なら、展開が為されているということであるから、ステップ１００９で、操作されたブロックｂｎが展開範囲内か判別する。ＵＦＢ（ｂｎ）＝０なら、そのブロックは展開に使用されていないから展開範囲外であり、ステップ１００３に進む。ＵＦＢ（ｂｎ）≠０なら、そのブロックは展開に使用されているから展開範囲内であり、ステップ１０１０に進む。ただし、ＵＦＭ（ｃｇ）＝４の場合、すなわちｃｈセットグループがＵＦＢ（ｂｎ）＝１のブロックｂｎに展開されている場合は、当該ＵＦＢ（ｂｎ）＝１が設定されているブロックｂｎ内のｃｈストリップの操作のときのみ展開範囲内としてステップ１０１０に進むようにし、ＵＦＢ（ｂｎ）＝２が設定されているブロックｂｎ内のｃｈストリップの操作は展開範囲外としてステップ１００３に進むようにする。同様に、ＵＦＭ（ｃｇ）＝５の場合、すなわちｃｈセットグループがＵＦＢ（ｂｎ）＝２のブロックｂｎに展開されている場合は、当該ＵＦＢ（ｂｎ）＝２が設定されているブロックｂｎ内のｃｈストリップの操作のときのみ展開範囲内としてステップ１０１０に進むようにし、ＵＦＢ（ｂｎ）＝１が設定されているブロックｂｎ内のｃｈストリップの操作は展開範囲外としてステップ１００３に進むようにする。
【００６７】
ステップ１０１０では、変数ｕｆｂに展開ブロック番号ＵＦＢ（ｂｎ）を代入し、（ｕｆｂ−１）×８＋ｓｎを変数ｊへ代入する。変数ｊの値は、操作されたｃｈストリップｓｎに割り当てられているｃｈが、展開されているグループ内で何番目のｃｈであるかを示す値である。ただし例外として、ＵＦＭ（ｃｇ）＝５のとき、すなわちｃｈセット＃２展開キーによる展開のときは、ＵＦＢ（ｂｎ）＝１のブロックは展開に使用せずにＵＦＢ（ｂｎ）＝２のブロックを展開に使用しているので、ＵＦＢ（ｂｎ）＝１のブロックのｃｈストリップの数である８を上記ｊから減算しておく。次に、ステップ１０１１で、そのｊ番目のｃｈのｃｈ番号ＧＤ（ｇｔ，ｇｎ，ｊ）を変数ｉへ代入する。ステップ１０１０で、第ｉｃｈの操作子番号ｃｎに応じたパラメータ値を、操作内容ｂｕｆに応じて変更する。
【００６８】
なお、展開に使用するブロックのうち最後のブロックでは、左側のｃｈストリップから展開に使用されていくので、右側に使用されないｃｈストリップが現れる場合があるが、そのようなｃｈストリップの操作子を操作した場合は、ステップ１０１１でｃｈ番号ＧＤ（ｇｔ，ｇｎ，ｊ）としてＮＵＬＬが返されるので、ステップ１０１２では何も変更されないようになっている。
【００６９】
上記実施形態では図１のように４台のフェーダ装置を接続した例で説明したが、フェーダ装置の台数は任意である。フェーダ装置無しでメイン装置のみでも、本発明は適用可能である。また、メイン装置１３０内にＤＳＰ３０７を設けたが、ＤＳＰをミキサエンジンとして独立させ、オーディオネットワーク１４０に接続する形態としてもよい。さらに、ｃｈストリップ部（ブロック）を８本のｃｈストリップで構成したが、この数も適宜変更してよい。
【００７０】
上記実施形態では図６に示すＵｎｆｏｌｄキーを使用したが、各ｃｈストリップ毎にＵｎｆｏｌｄキーを用意してもよい。その場合、Ｕｎｆｏｌｄキーをオンすることで、ｃｈストリップの選択も同時に行えるので、ＳＥＬキーの操作は不要となる。各ｃｈストリップ毎に用意するＵｎｆｏｌｄキーは、表示スペースがあれば図６の５個のキーを用意してもよいし、この中の一部のＵｎｆｏｌｄキーのみとしてもよい。
【００７１】
上記実施形態における、制御グループの数、レイヤ（ｃｈレイヤ、ＤＣＡレイヤ、カスタムレイヤ）の数、グループの数、グループを構成するｃｈの数、展開に使用するブロックの数などは、適宜設計変更してもよい。
【００７２】
上記実施形態では、あるグループ種別の展開キーを操作した後に、そのグループ種別の何れかのグループを示すキーないしスイッチを操作することにより、そのグループの展開処理が開始されるようになっていたが、その展開キーを押しながらそのグループのキーないしスイッチを操作することで同処理が開始されるようにしてもよい。
【００７３】
上記実施形態のＵｎｆｏｌｄキー群６００には、各グループ種別毎に１つの展開キーが表示されていたが、複数のグループ種別に共通の１つの展開キーだけにしてもよい。その場合、その展開キーのオン操作の後に操作されるキーに応じて、どのグループ種別のグループを展開するか決めるようにすればよい。例えば、ＤＣＡグループが割り当てられたｃｈストリップのＳＥＬキーが操作されたら、そのＤＣＡグループを展開し、ミュートスイッチが操作されたら、そのミュートスイッチに対応するミュートグループを展開し、ｃｈセットグループが割り当てられたｃｈストリップのＳＥＬキーが操作されたら、そのｃｈセットグループを展開するようにすればよい。
【００７４】
上記実施形態のステップ１０１０では、あるｃｈセットグループを２番目の展開先に展開するとき（ＵＦＭ（ｃｇ）＝５）、ｊから８を減算することにより、ｕｂｆが２であっても、そのｃｈセットグループに登録された１〜８番目のｃｈが展開されるようにしていたが、これは１つのやり方に過ぎない。別のやり方として、例えば、ステップ１０１０において、ＵＦＭ（ｃｇ）＝５であれば、ｂｎの値に関わりなくｕｆｂを１とするようにしてもよいし、あるいは、ステップ１０１０は変更せずに、グループ内ｃｈ番号ＧＤ（ｇｔ，ｇｎ，ｊ）を、ｇｔ＝５の場合に、ＧＤ（５，ｇｎ，(ｊ−８)）＝ＧＤ（５，、ｇｎ，ｊ）である関数にしてもよい。
【００７５】
上記実施形態では、ｃｈストリップ部のレイヤを、各ブロック毎に独立して選択するようになっていたが、任意の複数ブロックをリンクして、それら複数ブロックで同じレイヤを同時選択するようにしてもよい。
【符号の説明】
【００７６】
１００〜１０８…ｃｈストリップ部、１１０〜１１４…表示器、１３０…メイン装置、１３１〜１３４…フェーダ装置、１４０…オーディオネットワーク、２０１−１〜２０１−８…ｃｈストリップ、２１４…ＳＥＬキー、２１８…電動フェーダ。
【図１】
2011066863.tif 000003
【図２】
2011066863.tif 000004
【図３】
2011066863.tif 000005
【図４】
2011066863.tif 000006
【図５】
2011066863.tif 000007
【図６】
2011066863.tif 000008
【図７】
2011066863.tif 000009
【図８】
2011066863.tif 000010
【図９】
2011066863.tif 000011
【図１０】
2011066863.tif 000012